(57)【要約】【課題】光ディスク出し入れ装置の提供。【解決手段】一種の光ディスク出し入れ装置、主に縦式ケース体内部に固定案内台、昇降台、ディスク滑り台、および上部移動挟み部材より構成する。制御表示装置により昇降台を固定案内台に沿って上下に移動させ、挟み滑り台を昇降台に沿って前後進を制御し、上部移動挟み部材を開閉動作し、光ディスクの受け入れと送り出しを制御する。【選択図】図１
0003122748.tif 000002
【実用新案登録請求の範囲】
【請求項１】
ケース体、固定台、昇降台、挟み滑り台及び制御表示装置を包含し、
ケース体は前部ケースと向かい合わせて後部ケースを縦向きに組み合わせ、該前部ケースの上段部に光ディスク出入り口を設け、その裏側の出入り口の下部場所は列になる上下に仕切られた光ディスク保存スロットを設け、該前部ケースの外側に実直ラック歯車を縦向きに設け、
固定台は上下部端板と中央場所に複数の直立案内棒を接ぎあわせて構成し、該ケース体内部に縦向きし、
昇降台は該固定台の案内棒に挿入および固定し、該昇降台の先端部に第１モーターと歯車組を設け、該前部ケースに相対する実直ラック歯車と噛み合わせ、該昇降台天面の一端に第２モーターと歯車組を取り付けて連動し、
挟み滑り台は横方向に該昇降台に設け、その一端は、該スクリュー案内棒に挿入し連動して、該挟み滑り台は前方向に延ばして下部固定挟み部材を設け、上部移動挟み部材および駆動装置を設け、
制御表示装置は該ケース体表面に設け、昇降台の上下移動、挟み滑り台の前進・後進、および該上部移動挟み部材を開閉させ光ディスクを摘まみ取る一種の光ディスク出し入れ装置。
【請求項２】
該前部ケースに上下端後ろ折り曲げ板を設け、表面パネルを組み合わせ、該表面パネルに制御表示装置を設け、該後部ケース両側に前折り曲げ板を設け、該前部ケースの上下端後ろ折り曲げ板を囲むことを特徴とする請求項１記載の光ディスク出し入れ装置。
【請求項３】
該前部ケース両側に縦向き光案内棒を設け、その後部に列になる指示灯を設けて、該昇降台の高さ位置に合わせて、動的に発光することを特徴とする請求項１記載の光ディスク出し入れ装置。
【請求項４】
該前部ケース内部の出入り口に相対する場所に係止め棒を設け、該係止め棒は後部支持棒によって支えられ、中間部に円弧状ラック歯車を設け、第４モーターを該前部ケース内部に固定し、歯車により該円弧状ラック歯車と噛み合わせ、係止め棒の先端部により出入り口を開閉させることを特徴とする請求項１記載の光ディスク出し入れ装置。
【請求項５】
該前部ケース保存スロットの他端に直立式伝動板と向かい合わせて重なるロック板を設け、該伝動板に列になる縦孔と複数の駆動ピンを設け、その上部にラック歯車を取り付け、該ロック板は該縦孔に合わせて横穴を設け、駆動ピンに相対する斜め案内溝に合わせ、相対数のリベットは各縦孔と横穴を貫通して、該前部ケースを組み合わせる、第５モーター、該前部ケース内部に設け、歯車組によりラック歯車に噛み合わせて、伝動板を上下に移動させ、駆動ピンにより、斜め案内溝を駆動して、ロック板を横方向に移動し保存スロットを開閉することを特徴とする請求項１記載の光ディスク出し入れ装置。
【請求項６】
固定台の上下部端板両側にプーリーをそれぞれ設け、合わせて片側に備える直立式案内軌条に組み合わせ、重り塊を該案内軌条に挿入し、ワイヤーを該固定台各プーリーに巻き付けておき、該ワイヤーの一端は重り塊に接続し、他端は該昇降台に接続することを特徴とする請求項１記載の光ディスク出し入れ装置。
【請求項７】
該挟み滑り台の片側に、スクリュー案内棒に合わせて、トルクリミッターとスリーブを設け、該スリーブにアクチュエーターを設け、該挟み滑り台の他端に案内塊を設け、該昇降台がアクチュエーターに沿った移動経路に前部、中央、後部三つの光電スイッチを設け、該昇降台に挟み滑り台の他端に備える案内塊を案内する突起軌条を設け、該固定台と昇降台の相対移動経路に光電スイッチとアクチュエーターを設けることを特徴とする請求項１記載の光ディスク出し入れ装置。
【請求項８】
挟み滑り台に備える上部移動挟み部材に前部挟み片、後部支持棒を支持点とし、後部底面に円弧状ラック歯車を設け、該前部挟み片と下部固定挟み部材の間に挟み口を形成し、該駆動装置に挟み滑り台天面内部に、第３モーターと減速歯車組を設けて、該円弧状ラック歯車と噛み合わせて連動し、上部移動挟み部材を揺動しながら開閉することを特徴とする請求項１記載の光ディスク出し入れ装置。
【請求項９】
該挟み滑り台内部底面に光ディスク挿入検知梃、天面に光電スイッチを設け、該検知梃に前部水平区間、中央場所に回転軸接続孔を設けて、支持点とし、後部直立区間を設け、該前部水平区間の先端部は常に該前部挟み片と下部固定挟み部材の間に延ばしておき、該後部直立区間に上方向に延ばす挟み滑り台のアクチュエーターを設け、光電スイッチの進出に対応することを特徴とする請求項８記載の光ディスク出し入れ装置。
【考案の詳細な説明】
【技術分野】
【０００１】
本考案は一種の光ディスク出し入れ装置、特に一種の縦型タワー形状の光ディスク出し入れ装置に関わるものである。
【背景技術】
【０００２】
通常の光ディスク出し入れ装置は、横置きフラット円形ケース体内部に制御を受けて、回転する回転台を設け、水平状の回転台に複数の保存スロットを放射状に設けて、光ディスクをそれぞれに縦置き保存しておき、制御表示装置より回転台を回転させ、対象光ディスクの保存スロットをケース体の光ディスク出入り口に移動させ、弾き出して使用または挿入する。
【０００３】
しかしながら、フラット円形の光ディスク出し入れ装置は、机上に置いて、光ディスクの取り出し使用に便利するが、机のスペースを占有してしまう欠点がある。そこで、光ディスク保存の数を増やすため、フラット円形の光ディスク出し入れ装置ケース体の直径を拡大しなければならない。これにより、机のスペースをより取られる。
【考案の開示】
【考案が解決しようとする課題】
【０００４】
本考案は、主に縦型タワー形状の設計により、床または机表面に置き、占有面積を減少し、光ディスクの出し入れを容易に行える一種の光ディスク出し入れ装置の提供を主な目的とする。
【０００５】
前記の目的を実現するため、本考案の光ディスク出し入れ装置、主に縦式ケース体内部に固定案内台、昇降台、ディスク滑り台、および上部移動挟み部材より構成する。制御表示装置により昇降台を固定案内台に沿って上下に移動させ、挟み滑り台を昇降台に沿って前後進を制御し、上部移動挟み部材を開閉動作し、光ディスクの受け入れと送り出しを制御する。
【課題を解決するための手段】
【０００６】
請求項１の考案は、ケース体、固定台、昇降台、挟み滑り台及び制御表示装置を包含し、
ケース体は前部ケースと向かい合わせて後部ケースを縦向きに組み合わせ、該前部ケースの上段部に光ディスク出入り口を設け、その裏側の出入り口の下部場所は列になる上下に仕切られた光ディスク保存スロットを設け、該前部ケースの外側に実直ラック歯車を縦向きに設け、
固定台は上下部端板と中央場所に複数の直立案内棒を接ぎあわせて構成し、該ケース体内部に縦向きし、
昇降台は該固定台の案内棒に挿入および固定し、該昇降台の先端部に第１モーターと歯車組を設け、該前部ケースに相対する実直ラック歯車と噛み合わせ、該昇降台天面の一端に第２モーターと歯車組を取り付けて連動し、
挟み滑り台は横方向に該昇降台に設け、その一端は、該スクリュー案内棒に挿入し連動して、該挟み滑り台は前方向に延ばして下部固定挟み部材を設け、上部移動挟み部材および駆動装置を設け、
制御表示装置は該ケース体表面に設け、昇降台の上下移動、挟み滑り台の前進・後進、および該上部移動挟み部材を開閉させ光ディスクを摘まみ取る一種の光ディスク出し入れ装置としている。
請求項２の考案は、該前部ケースに上下端後ろ折り曲げ板を設け、表面パネルを組み合わせ、該表面パネルに制御表示装置を設け、該後部ケース両側に前折り曲げ板を設け、該前部ケースの上下端後ろ折り曲げ板を囲むことを特徴とする請求項１記載の光ディスク出し入れ装置としている。
請求項３の考案は、該前部ケース両側に縦向き光案内棒を設け、その後部に列になる指示灯を設けて、該昇降台の高さ位置に合わせて、動的に発光することを特徴とする請求項１記載の光ディスク出し入れ装置としている。
請求項４の考案は、該前部ケース内部の出入り口に相対する場所に係止め棒を設け、該係止め棒は後部支持棒によって支えられ、中間部に円弧状ラック歯車を設け、第４モーターを該前部ケース内部に固定し、歯車により該円弧状ラック歯車と噛み合わせ、係止め棒の先端部により出入り口を開閉させることを特徴とする請求項１記載の光ディスク出し入れ装置としている。
請求項５の考案は、該前部ケース保存スロットの他端に直立式伝動板と向かい合わせて重なるロック板を設け、該伝動板に列になる縦孔と複数の駆動ピンを設け、その上部にラック歯車を取り付け、該ロック板は該縦孔に合わせて横穴を設け、駆動ピンに相対する斜め案内溝に合わせ、相対数のリベットは各縦孔と横穴を貫通して、該前部ケースを組み合わせ、第５モーター、該前部ケース内部に設け、歯車組によりラック歯車に噛み合わせて、伝動板を上下に移動させ、駆動ピンにより、斜め案内溝を駆動して、ロック板を横方向に移動し保存スロットを開閉することを特徴とする請求項１記載の光ディスク出し入れ装置としている。
請求項６の考案は、固定台の上下部端板両側にプーリーをそれぞれ設け、合わせて片側に備える直立式案内軌条に組み合わせ、重り塊を該案内軌条に挿入し、ワイヤーを該固定台各プーリーに巻き付けておき、該ワイヤーの一端は重り塊に接続し、他端は該昇降台に接続することを特徴とする請求項１記載の光ディスク出し入れ装置としている。
請求項７の考案は、該挟み滑り台の片側に、スクリュー案内棒に合わせて、トルクリミッターとスリーブを設け、該スリーブにアクチュエーターを設け、該挟み滑り台の他端に案内塊を設け、該昇降台がアクチュエーターに沿った移動経路に前部、中央、後部三つの光電スイッチを設け、該昇降台に挟み滑り台の他端に備える案内塊を案内する突起軌条を設け、該固定台と昇降台の相対移動経路に光電スイッチとアクチュエーターを設けることを特徴とする請求項１記載の光ディスク出し入れ装置としている。
請求項８の考案は、挟み滑り台に備える上部移動挟み部材に前部挟み片、後部支持棒を支持点とし、後部底面に円弧状ラック歯車を設け、該前部挟み片と下部固定挟み部材の間に挟み口を形成し、該駆動装置に挟み滑り台天面内部に、第３モーターと減速歯車組を設けて、該円弧状ラック歯車と噛み合わせて連動し、上部移動挟み部材を揺動しながら開閉することを特徴とする請求項１記載の光ディスク出し入れ装置としている。
請求項９の考案は、該挟み滑り台内部底面に光ディスク挿入検知梃、天面に光電スイッチを設け、該検知梃に前部水平区間、中央場所に回転軸接続孔を設けて、支持点とし、後部直立区間を設け、該前部水平区間の先端部は常に該前部挟み片と下部固定挟み部材の間に延ばしておき、該後部直立区間に上方向に延ばす挟み滑り台のアクチュエーターを設け、光電スイッチの進出に対応することを特徴とする請求項８記載の光ディスク出し入れ装置としている。
【考案の効果】
【０００７】
本考案は光ディスク出し入れ装置、主に縦型タワー形状の設計により、床または机表面に置き、占有面積を減少し、光ディスクの出し入れを容易に行える一種の光ディスク出し入れ装置の提供を主な目的とする。
【考案を実施するための最良の形態】
【０００８】
図１から図５に示すとおり、本考案の光ディスク出し入れ装置は、主に縦式ケース体１内部に固定案内台２、昇降台３、ディスク滑り台４、および上部移動挟み部材４２より構成する。制御表示装置５により昇降台３を固定案内台２に沿って上下に移動させ、挟み滑り台４を昇降台３に沿って前後進を制御し、上部移動挟み部材４２を開閉動作し、光ディスク９の受け入れと送り出しを制御する。
【０００９】
図１から図３に示すものは、ケース体１機構である。ケース体１は前部ケース１１に合わせて後部ケース１２を接ぎあわせて組み合わせた上、ボルト１１３により固定する。該前部ケース１１の上段に光ディスク出入り口１３を設け、その裏側は該出入り口１３下部場所は列に並べて上下に仕切られた光ディスク保存スロット１４を設け、前部ケース１は保存スロット１４の一端にラック歯車１５を縦向きに設ける（図７、８）。
【００１０】
好ましい実施例において、該前部ケース１１の上下端に後ろ折り曲げ板１１１、１１２を設け、表面パネル１６を組み合わせる。該表面パネル１６の天面に制御表示装置５を設ける。該後部ケース１２に前折り曲げ板１２１、１２２を設け、前部ケース１１に備える上下端の後ろ折り曲げ板１１１、１１２を囲む。そのうち、該前部ケース１１両側に縦向きの光案内棒１７をそれぞれに設け、その後部に指示灯１８を列に設ける（図９）。該電気回路板１８１に複数の孔１８２を設けて、リベット１８３を通して前部ケース１１に固定しておく、指示灯１８列を昇降台３の高さ位置に合わせて動的点灯させる。
【００１１】
図２、４に示す固定台２機構において、該固定台２は上下部端板２１、２２と中間に複数の縦型案内棒２３を接ぎあわせて構成し、ケース体１内部に縦置きする。この図に示すとおり、該固定台２の上下部端板２１、２２両側にプーリー２５をそれぞれに設け、片側に案内軌条２４を縦置きに設ける。重り塊２６は該案内軌条２４で移動可能に設ける。ワイヤー２７を該固定台２のプーリー２５に巻き付けておく、ワイヤー２７の一端に該重り塊２６を取り付け、他端に該昇降台３に取り付けて、昇降台３と挟み滑り台４の重量を相殺させる。さらに、線案内軌条２８と自由滑り部材２９を設けて、図９に示す制御基板５３のフラット導線５６を案内する。
【００１２】
図２、４、５に示す昇降台３機構において、該昇降台３を固定台２の案内棒２３に挿入し、該昇降台３の前部にステップ式第１モーター３１と歯車３１１、３１２、３１３を設けて、前部ケース１１に相対して設ける実直ラック歯車１５と噛み合わせる。該昇降台３天面の片側は棒台３０４により、縦向きのスクリュー案内棒３５と接続し、その一端に、第２モーター３２と歯車３２１、３５１を組み合わせて連動する。図に示すとおり、該昇降台３一端の側壁３４に案内柱３０１と軸受け金３０３を設け、他端に案内口３０２を設けて、固定台２両側の案内棒２３に挿入する。このほか、各保存スロット１４の光ディスク９の有無を検出するため、昇降台３上部に伝動板３３を設け、昇降台３の側面前部に光電反射器３６を設ける。
【００１３】
図２、５および６に示す挟み滑り台４の機構において、該挟み滑り台４を縦向きに昇降台３上に設け、片側にスクリュー案内棒３５を挿入し連動する。該挟み滑り台４は前方に延ばして下部固定挟み部材４１およびこれに合わせて、上部固定挟み部材４２と駆動装置を設け、上部移動挟み部材４２を開閉させ、光ディスク９の摘みと挿入を行う。
【００１４】
好ましい実施例において、該挟み滑り台４の片側に該スクリュー案内棒３５に合わせて設けるトルクリミッター４４とスリーブ４５を設置する。該スリーブ４５内部に軸受け金４５１を設けその上部にアクチュエーター４５２を設置する。該トルクリミッター４４の鋼部材片体の一端に孔４４１を設け、リベット４４３を通して、挟み滑り台４に固定する。トルクリミッター４４片体の他端に受け孔４４２と自由鋼球４４４を設け、スクリュー案内棒３５外周に備えるねじ山と連動する。該挟み滑り台４の他端に案内塊４８を設ける。該昇降台３の伝動板３３は該挟み滑り台４のアクチュエーター４５２に沿った経路は前部、中央部、後部に三つの光電スイッチ３２２、３２３、３２４を設け、昇降台３に該挟み滑り台４他端に設ける案内塊４８の突起軌条３７と上部案内板３８をそれぞれに設ける。該固定台２と昇降台３が対応して移動する経路の上下限部に光電スイッチ３１４、３１５とアクチュエーター３１６、３１７をそれぞれ設ける。
【００１５】
前記した挟み滑り台４の上部移動挟み部材４２に前部挟み片４６、後部支持棒４７を設け、支持点として棒台４９、および後部底面に円弧状ラック歯車４２２を設ける。該前部挟み片４６と下部固定挟み部材４１との間に挟み口を形成し、それぞれにワッシャー４１１、４２１を設ける（図６）。該駆動装置に挟み滑り台４天面の内部に第３モーター４３と歯車４３１、減速歯車組４３２を設け、円弧状ラック歯車４２２と噛み合わせ、上部移動挟み部材４２を合わせて揺動開閉させる。このほか、該挟み滑り台４と上部移動挟み部材４２に相対する係鉤４０３、４２３をそれぞれ設け、上部移動挟み部材４２の開度を制限する。
【００１６】
さらに、挟み滑り台４内部の底面に光ディスク９挿入検知梃８を設け（図２、５、６）、天面に光電スイッチ８５と電気回路板８６を設ける。該検知梃８は支持点として、前部水平区間８１、中央回転軸接続孔８２と後部直立区間８３を設ける。該検知梃８は弾性アーム８７の働きにより、前部水平区間８１の先端部を常に挟み滑り台４の前部に突き出す貫通孔４０１を設け、前部挟み片４６と下部固定挟み部材４１の間に延ばしておく、該後部直立区間８３に上部に延ばす挟み滑り台４天面の孔４０２にアクチュエーター８４を設けて、出入りする光電スイッチ８５に対応する。
【００１７】
図２、３に示す好ましい例において、該前部ケース１１内部は、出入り口１３に合わせて係止め棒６を設け、該係止め棒６に後部支持棒６１を設け、支持点とし、中央場所に円弧状ラック歯車６２を設ける。第４モーター６４を該前部ケース１１内部の凹み空間１１４固定し、歯車６５により該円弧状ラック歯車６２に噛み合わせて、係止め棒６の先端部を制御し出入り口１３を開閉する。
【００１８】
図１、２および３に示すとおり、ケース体１前部天面にキーボード５１、液晶ディスプレイ５２および内部制御基板５３（図９）を備えた制御表示装置５を設け、制御により光ディスク９を保存した保存スロット１４を選択する。外部電源接続のため、該制御基板５３に備える電源コード５４の一端にコンセント５５を設ける。該制御基板５３はフラット導線５６により、昇降台３の伝動板３３に接続する。導線１９２を前部ケース１１正面に備える灯孔１１６内部の電源ランプ１９、電気回路板１９１に接続する。もう一つの導線６７は係止め棒６のパイロットランプ６３と電気回路板６６に接続し、光ディスク出し入れ装置電気部品を制御し稼動する。
【００１９】
本実施例において、光ディスク出し入れ装置を使用するときに、制御表示装置５により、光ディスク９の保存スロット１４を選択した後、第２モーター３２は歯車５２１、３５１を介して、スクリュー案内棒３５を回転させ、トルクリミッター４４が挟み滑り台４を後部に移動した後に固定する。同時に、第１モーター３１は歯車３１１、３１２、３１３を介してラック歯車１５に沿って回転し、昇降台３を図２に示す上限位置に上昇させる。そして、第２モーター３２は挟み滑り台４を先端に移動させた後、図２に示す左側の位置に固定する。このとき、第３モーター４３は歯車４３１、歯車組４３２と円弧状ラック歯車４２２を駆動し、上部移動挟み部材４２と前部挟み片４６を上部に揺動させ、挟み口を開放する。
【００２０】
さらに、第４モーター６４は歯車６５と円弧状ラック歯車６２の伝動により、係止め棒６を上部に揺動させ、図２に示すとおり、光ディスク９をケース体１の出入り口１３から挟み滑り台４と上部移動挟み部材４２との間に備える挟み口に挿入する。光ディスク９を挿入し固定した後、関連の検知梃８の前部水平区間８１先端部（図５、６、１２）は後部直立区間８３のアクチュエーター８４に合わせて、揺動しながら、光電スイッチ８５より抜け出す。このとき、第３モーター４３は歯車４３１、歯車組４３２と円弧状ラック歯車２２の駆動により、上部移動挟み部材４２と前部挟み片４６を下部へ揺動しながら、光ディスク９を摘まみ取り、第２モーター３２は挟み滑り台４を駆動し、後部に移動した後、図１２に示す右側の位置に固定する。このとき、第４モーター６４は係止め棒６を駆動し下方向へ揺動しながら、出入り口１３を開閉し、光ディスク９挿入を阻止する。
【００２１】
第１モーター３１は昇降台３を駆動し、選択された保存スロット１４の高さ位置に降下させ、第２モーター３２により、挟み滑り台４を中央部に前進した後、図１３に示すとおり、光ディスク９を選択された保存スロット１４に挿入する。このとき、昇降台３はやや降下させ、第３モーター４３を上方向に移動し、上部移動挟み部材４２を開放して、光ディスク９を保存スロット１４に保存する。引き続き、第２モーター３２は挟み滑り台４を駆動し、後部に移動した後、固定する。第１モーター３１は昇降台３を駆動し、上限位置に上昇した後、挟み滑り台４を駆動し、先端部に移動し固定しておく、図２に示すとおり、次の光ディスク９の挿入に備える。
【００２２】
光ディスク９を取り出すとき、制御表示装置５より光ディスク９の保存スロット１４を選択した後、第２モーター３２は挟み滑り台４を後退させた後固定する。第１モーター３１により昇降台３を選択された保存スロット１４の高さ位置に降下した後、固定しておく、挟み滑り台４を中央場所に前進させ（図１３）、第３モーター４３は上部移動挟み部材４２を下部へ駆動し、光ディスク９を摘まみ取る。そして、挟み滑り台４を後部に移動および固定し、昇降台３を図１２に示す位置に上昇させる。挟み滑り台４が先端部に前進および固定した後、図２に示すとおり、光ディスク９をケース体１の出入り口１３に露出させ、第３モーター４３により上部に移動し、上部移動挟み部材４２を開放させ、利用者の光ディスク９の取り出しに備える。
【００２３】
図７から図１１に示す好ましい実施例において、該前部ケース１１は保存スロット１４の他端に直立伝動板７と向かい合わせて重なるロック板７１を移動可能に設け、該伝動板７に縦孔７２と複数の駆動ピン７７を設け、その上部にラック歯車７６を設ける。該ロック板７１は縦孔７２に合わせて横穴７３、および該駆動ピン７７に合わせて斜め案内溝７８を設ける。相対数のリベット７４をねじ接合棒７４１と合わせて、各縦孔７２と横穴７３を貫通し、前部ケース１１を組み合わせる。第５モーター７５を前部ケース１１内部の凹み空間１１５（図３）に設け、歯車７９、歯車組７９１を介して該ラック歯車７６と噛み合わせて、該伝動板７を伝動し上下移動させる。駆動ピン７７により、斜め案内溝７８を駆動し、ロック板７１を横方向に移動させ、各保存スロット１４の開閉を行う。本考案の光ディスク出し入れ装置は、使用しないときまたは搬送するとき、ロック板７１を横方向に移動させ、各保存スロット１４を閉鎖し、光ディスク９の抜け出しを防止する（図１１）。
【００２４】
本考案の光ディスク出し入れ装置は縦型タワー形状の設計により、床または机表面に取り付けることができ、所要面積を減少できるほか、光ディスクの取り出しが極めて便利である。
【図面の簡単な説明】
【００２５】
【図１】本考案の好ましい実施例における光ディスク取扱い機器の立体図である。
【図２】図１上段局部の断面図で、光ディスクを挿入済みまたは取り出すときの作動態様を示すのである。
【図３】図１の前部ケースと表面パネルの立体分解図である。
【図４】図１に示すケース体内部に備える出し入れ装置の立体図である。
【図５】図４に示す昇降台と挟み滑り台の立体図である。
【図６】図５に示す挟み滑り台の立体分解図である。
【図７】図２の前部ケースに備えた列になる保存スロットと開閉装置の開放状態の構造図である。
【図８】図７における８〜８線に沿った破線図である。
【図９】図７に示す開閉装置、制御基板と動的指示灯の立体分解図である。
【図１０】図７の開閉作動図である。
【図１１】図１０における１１〜１１線に沿った断面図である。
【図１２】図２に示す挟み滑り台による光ディスクを摘む動作図であり、後進した後に固定するのである。
【図１３】図１２に示す挟み滑り台が保存スロットに対して、光ディスク挿入または取り出す態様図である。
【符号の説明】
【００２６】
１  ケース体
１１  前部ケース
１２  後部ケース
１３  出入り口
１４  保存スロット
１５  実直ラック歯車
１６  表面パネル
１７  光案内棒
１８  指示灯
１９  電源ランプ
１１１  後ろ折り曲げ板
１１２  後ろ折り曲げ板
１１３  ボルト
１１４  凹み空間
１１５  凹み空間
１１６  灯孔
１２１  前折り曲げ板
１２２  前折り曲げ板
１８１  電気回路板
１８２  孔
１８３  リベット
１９１  電気回路板
１９２  導線
２  固定台
２１  上部端板
２２  下部端板
２３  案内棒
２４  案内軌条
２５  プーリー
２６  重り塊
２７  ワイヤー
２８  線案内軌条
２９  滑り部材
３  昇降台
３１  第１モーター
３２  第２モーター
３３  伝動板
３４  側壁
３５  スクリュー案内棒
３６  光電反射器
３７  突起軌条
３８  案内板
３０１  案内柱
３０２  案内口
３０３  軸受け金
３０４  棒台
３１１  歯車
３１２  歯車
３１３  歯車
３１４  光電スイッチ
３１５  光電スイッチ
３１６  アクチュエーター
３１７  アクチュエーター
３２１  歯車
３２２  光電スイッチ
３２３  光電スイッチ
３２４  光電スイッチ
３５１  歯車
４  挟み滑り台
４１  下部固定挟み部材
４２  上部移動挟み部材
４３  第３モーター
４４  トルクリミッター
４５  スリーブ
４６  前部挟み片
４７  支持棒
４８  案内塊
４９  棒台
４０１  貫通孔
４０２  孔
４０３  係鉤
４１１  ワッシャー
４２１  ワッシャー
４２２  円弧状ラック歯車
４２３  係鉤
４３１  歯車
４３２  歯車組
４４１  孔
４４２  受け孔
４４３  リベット
４４４  鋼球
４５１  軸受け金
４５２  アクチュエーター
５  制御表示装置
５１  キーボード
５２  液晶ディスプレイ
５３  制御基板
５４  電源コード
５５  コンセント
５６  フラット導線
６  係止め棒
６１  支持棒
６２  円弧状ラック歯車
６３  パイロットランプ
６４  第４モーター
６５  歯車
６６  電気回路板
６７  導線
７  伝動板
７１  ロック板
７２  縦孔
７３  横穴
７４  リベット
７５  第５モーター
７６  ラック歯車
７７  駆動ピン
７８  斜め案内溝
７９  歯車
７４１  ねじ接合棒
７９１  歯車組
８  検知梃
８１  前部水平区間
８２  回転軸接続孔
８３  後部直立区間
８４  アクチュエーター
８５  光電スイッチ
８６  電気回路板
８７  弾性アーム
９  光ディスク
【図１】
0003122748.tif 000003
【図２】
0003122748.tif 000004
【図３】
0003122748.tif 000005
【図４】
0003122748.tif 000006
【図５】
0003122748.tif 000007
【図６】
0003122748.tif 000008
【図７】
0003122748.tif 000009
【図８】
0003122748.tif 000010
【図９】
0003122748.tif 000011
【図１０】
0003122748.tif 000012
【図１１】
0003122748.tif 000013
【図１２】
0003122748.tif 000014
【図１３】
0003122748.tif 000015